(57)【特許請求の範囲】
【請求項１】
片側半部が大径筒部となり且つ他の片側半部が外周部に雄ねじ部を形成した小径筒部となった排気アダプターを形成し、建物躯体を貫通する孔に排気筒体を取り付け、排気筒体の屋内側に突出した部分に排気アダプターの大径筒部を被嵌した状態で建物躯体の屋内側に排気アダプターを取り付けるとともに排気筒体の屋外側に突出した部分に他の排気アダプターの大径筒部を被嵌した状態で建物躯体の屋外側に排気アダプターを取り付け、屋内の排気発生源からの排気を排出する排気ホースの先端部を屋内側の排気アダプターの小径筒部に設けた雄ねじ部にナットにより接続し、屋外側排気付属部材を屋外側の排気アダプターの小径筒部に設けた雄ねじ部にナットにより接続して成ることを特徴とする屋内から屋外への排気構造。
【請求項２】
屋外側排気付属部材が防虫網であることを特徴とする請求項１記載の屋内から屋外への排気構造。
【請求項３】
屋外側排気付属部材が、排気縦管の下端部に排水孔を設けると共に、排水孔よりもやや上方から横方向に突出してナットにより排気アダプターに接続される横管部を連通突設した積雪地方用排気装置であることを特徴とする請求項１記載の屋内から屋外への排気構造。
【請求項４】
屋外側の排気アダプターを覆う下面が開口した屋外フードを取り付けて成ることを特徴とする請求項１記載の屋内から屋外への排気構造。
【請求項５】
屋外フードの上面片の両端と側面片の上端との間に建物躯体を構成する壁から離れるほど幅が小さくなる隙間を形成して成ることを特徴とする請求項１記載の屋内から屋外への排気構造。
【発明の詳細な説明】
【０００１】
【発明の属する技術分野】
本発明は、屋内の排気発生源で発生した排気を屋外に排出するための技術に関するものである。
【０００２】
【従来の技術】
従来から屋内の排気発生源から発生した排気を屋外に排出するには例えば、壁のような建物躯体に貫通孔を形成し、この貫通孔に貫通スリーブを取り付けて貫通スリーブの両端部に設けた蓋部により貫通孔の周囲を覆い、この貫通スリーブに屋内の排気発生源からの排気を排出する排気ホースを貫挿し、排気ホースの先端部を屋外に突出させて排気をするようにしていた。
【０００３】
しかしながら、上記従来例にあっては、貫通スリーブ内に排気ホースを挿通するため、貫通スリーブと排気ホースとの間に隙間が生じて見苦しく、また、上記隙間部分から屋内外に通気可能であるため、気密性に乏しく、また虫が侵入するおそれがある。このため上記隙間にシール材を埋めて塞ぐようにしているが、外観が見苦しいという問題がある。更に、屋外においては排気ホースが露出しているのでこの点でも外観が見苦しいという問題がある。また、冬季に屋外に突出した排気ホースの先端が雪に埋もれることがあり、このような場合には排気が不能となるという問題がある。
【０００４】
【発明が解決しようとする課題】
本発明は上記の従来例の問題点に鑑みて発明したものであって、本発明の目的とするところは、屋内の排気発生源からの排気を排出する排気ホースを屋外に導出することなく屋外に排気する構造とでき、しかも建物躯体の屋内側及び屋外側において隙間が生じないように構成できて外観がよく、更に、屋内の排気発生源からの排気を排出する排気ホースの先端部を接続するための屋内側の排気アダプターと、屋外側排気付属部材を接続するための屋外側の排気アダプターとして同一種類のものを使用できて、部材の種類を少なくでき、更に、簡単な構成で虫の侵入を防止し、また、簡単な構成で、積雪時においても排気ができると共に、結露水等が発生しても簡単に外部に排出できる屋内から屋外への排気構造を提供することを課題とするものである。
【０００５】
【課題を解決するための手段】
上記課題を解決するために本発明に係る屋内から屋外への排気構造は、片側半部が大径筒部１となり且つ他の片側半部が外周部に雄ねじ部２を形成した小径筒部３となった排気アダプター４を形成し、建物躯体５を貫通する孔６に排気筒体７を取り付け、排気筒体７の屋内側に突出した部分に排気アダプター４の大径筒部１を被嵌した状態で建物躯体５の屋内側に排気アダプター４を取り付けるとともに排気筒体７の屋外側に突出した部分に他の排気アダプター４の大径筒部１を被嵌した状態で建物躯体５の屋外側に排気アダプター４を取り付け、屋内の排気発生源８からの排気を排出する排気ホース１６の先端部を屋内側の排気アダプター４の小径筒部３に設けた雄ねじ部２にナット９により接続し、屋外側排気付属部材１０を屋外側の排気アダプター４の小径筒部３に設けた雄ねじ部２にナット９により接続して成ることを特徴とするものである。このような構成とすることで、排気筒体７の屋内側突出部分及び屋外側突出部分にそれぞれ排気アダプター４の大径筒部１を嵌め込んで屋内外の排気アダプター４を建物躯体５の屋内外に取り付け、この屋内外の排気アダプター４にそれぞれナット９により屋内の排気発生源８からの排気を排出する排気ホース１６の先端部を取り付けるとともに屋外側排気付属部材１０を取り付けるという簡単な構成で、排気ホース１６を屋外に挿出することなく、屋内外に排気できる排気構造を構成できるものであり、また、建物躯体５との取り付け部分に隙間などが生じないようにできるものである。
【０００６】
また、屋外側排気付属部材１０が防虫網１１であることが好ましい。このような構成とすることで、簡単な構成で防虫網１１を取り付けて虫が侵入しないようにできるものである。
【０００７】
また、屋外側排気付属部材１０が、排気縦管１２の下端部に排水孔１３を設けると共に、排水孔１３よりもやや上方から横方向に突出してナット９により排気アダプター４に接続される横管部１４を連通突設した積雪地方用排気装置１５であることが好ましい。このような構成とすることで、積雪があって、横管部１４部分が雪に埋もれても排気縦管１２により排気できるものであり、また、排気経路中に結露等が発生しても、排気縦管１２の下端部に排水孔１３からスムーズに外部に排水できるものである。
【０００８】
また、屋外側の排気アダプター４を覆う下面が開口した屋外フード３５を取り付けることが好ましい。このような構成とすることで、排気アダプター４の開口から雨水が侵入しないようにできるものである。
【０００９】
また、屋外フード３５の上面片３８の両端と側面片３７の上端との間に建物躯体５を構成する壁２１から離れるほど幅が小さくなる隙間３９を形成することが好ましい。このような構成とすることで、屋外フード３５の下開口から上方に風が吹き込んできた場合に、上記隙間３９から上方に逃がすことができて、屋外側の排気アダプター４部分から内部に風が吹き込まないようにしてあり、また、隙間３９を形成すると雨水が屋外側の排気アダプター４の開口側に流れやすいが、隙間３９の幅を後方（つまり建物躯体５である壁２１から離れる方向）側に向かう程小さくすることで排気アダプター４の開口側に隙間３９から雨水が侵入しにくいものである。
【００１０】
【発明の実施の形態】
以下、本発明を添付図面に示す実施形態に基づいて説明する。
【００１１】
図１に示す実施形態では屋内における排気発生源８として、流し台１７内に内装した生ごみ処理装置１８が例示してある。生ごみ処理装置１８は内部に生ごみ処理槽を備えており、生ごみ処理槽にモータにより回転自在となった攪拌手段が設けてある。生ごみ処理槽内には微生物が生息したバイオチップと称されるおが屑状の木質細片のような担体よりなる生ごみ処理材が充填してある。流し台１７の上面には生ごみ投入口が設けてあり、生ごみ投入口には蓋１９が着脱自在に取り付けてある。生ごみ投入口と生ごみ処理装置の上面部の孔とが投入筒２０により連通接続してあり、生ごみ投入口から投入した生ごみが投入筒２０を落下して生ごみ処理装置１８の生ごみ処理槽内に落下するようになっている。生ごみ処理槽内に落下した生ごみは攪拌手段が回転することで、生ごみ処理材とともに攪拌混合され、生ごみ処理材に生息している微生物により生ごみが分解処理されるようになっている。生ごみ処理装置１８からは排気ホース１６が連出してあり、生ごみ処理装置１８に設けた排気ファンにより生ごみ処理槽内から発生する臭気と、湿気とが排気ホース１６に排気されるようになっている。
【００１２】
壁２１や床２２等の建物躯体５には孔６が貫通してある。図２乃至図９に示す実施形態では壁２１に孔６を貫通形成した例を示している。この建物躯体５である壁２１に形成した孔には排気筒体７を挿入してある。本実施形態では排気筒体７としては１本の筒により構成してあり、この１本の筒はＶＰ５０と称されるサイズの管が用いられる。１本の筒よりなる排気筒体７は両端部がそれぞれ建物躯体５の屋内側及び屋外側に突出するように孔６に挿通される。ここで、添付図面に示す実施形態においては壁２１の屋内側の面に流し台１７の背板２３が重なっており、したがって、孔６は壁２１及び壁２１の屋内側に重なった背板２３を貫通するように形成してあり、孔６に挿入した排気筒体７の一方の端部は背板２３よりも屋内側に突出している。孔６の両端部において孔６周囲と排気筒体７の間の隙間にはシリコン等のコーキング材２４が充填してあって、隙間を閉塞しするとともにコーキング材２４を充填することで排気筒体７を建物躯体５に取り付けてある。
【００１３】
排気アダプター４は図１３に示すように、片側半部が大径筒部１となり且つ他の片側半部が小径筒部３となった筒状体により主体が構成してあり、大径筒部１の先端には外鍔部２５が設けてあり、外鍔部２５に固着具挿入孔２６が設けてあり、また、小径筒部３の外周部には雄ねじ部２が形成してある。
【００１４】
上記の構成の排気アダプター４は図２、図４、図６に示すように、それぞれ建物躯体５の孔６に取り付けた排気筒体５の両端部の建物躯体５の屋内側に突出した部分と屋外側に突出した部分とにそれぞれ被嵌して接続される。すなわち、排気筒体５の屋内側に突出した部分に排気アダプター４の大径筒部１を被嵌するとともに外鍔部２５に設けた固着具挿入孔２６からねじや釘等の固着具を挿入して建物躯体５に取り付けるものであり、また、排気筒体５の屋外側に突出した部分に他の排気アダプター４の大径筒部１を被嵌するとともに外鍔部２５に設けた固着具挿入孔２６からねじや釘等の固着具を挿入して建物躯体５に取り付けるものである。排気アダプター４の外鍔部４の外周縁部の建物躯体５への接触部分の外周部分はコーキング材２４が充填してあって気密を確保してある。ここで、建物躯体５の屋内側、屋外側で用いる排気アダプター４としては同一種類のものを用い、排気アダプター４としては１種類用意するだけでよいようにしてあり、また、排気アダプター４の取り付けも内外とも同様にできて施工性を向上している。上記排気アダプター４の大径筒部１はちょうど排気筒体５（つまりＶＰ５０の筒）にぴったりと被嵌できる大きさとなっている。ここで、排気筒体５の建物躯体５から突出した部分の外面部に接着剤を塗布した状態で排気アダプター４の大径筒部１を被嵌して接着するものである。
【００１５】
建物躯体５の屋内側に取り付けた排気アダプター４の小径筒部３に設けた雄ねじ部２には、屋内の排気発生源８である生ごみ処理装置１８の生ごみ処理槽で発生する臭気や湿気等の排気を排出する排気ホース１６の先端部をナット９により接続するようになっている。
【００１６】
排気ホース１６の先端部には図２、図５に示すように、先端接続筒２７が取り付けてある。先端接続筒２７はホース接続筒部２８の先端部にホース接続筒部２８よりも大径のアダプター側接続部２９が設けてあり、アダプター側接続部２９の後端部の外周は外周鍔部３０が周設してある。ホース接続筒部２８には排気ホース１６の先端が被嵌してあって、ホース接続筒部２８の外面には接着剤が塗布され、ホース接続筒部２８に被嵌した排気ホース１６の先端部を接着するようになっている。排気ホース１６にはナット９がスライド自在に被嵌してあり、このナット９は内周に雌ねじ部３１を形成したナット本体３２の後端部に内鍔３３を一体に連設して構成してあり、内鍔３３の内径は排気ホース１６の外径よりも大きく且つ外周鍔部３０の外径よりも小さく設定してある。なお、実施形態においては、アダプター側接続部２９はＶＰ４０と同じサイズとなっている。
【００１７】
しかして、建物躯体５の屋内側の排気アダプター４の小径筒部３内にアダプター側接続部２９を嵌め込み、小径筒部３の先端面と外周鍔部３０の前面との間にパッキン３４を介在させ、この状態で、ナット９の雌ねじ部３１を排気アダプター４の小径筒部３に設けた雄ねじ部２に螺合し、内鍔３３により外周鍔部３０を押圧することで、パッキン３４を圧縮して気密を保ちながら排気ホース１６を建物躯体５の屋内側の排気アダプター４に接続するものである。
【００１８】
建物躯体５の屋外側に取り付けた排気アダプター４の小径筒部３に設けた雄ねじ部２には屋外側排気付属部材１０をナット９により接続するものである。
【００１９】
図２には屋外側排気付属部材１０が防虫網１１である場合の例が示してある。すなわち、図２においては、ナット９内に屋外側排気付属部材１０である防虫網１１を配置して内鍔３３により支持し、この状態でナット９の雌ねじ部３１を排気アダプター４の小径筒部３に設けた雄ねじ部２に螺合することで防虫網１１を小径筒部３の端部開口を覆うように取り付けるものである。これにより屋外側の排気アダプター４部分から内部に虫が侵入するのが防止されるものである。
【００２０】
屋外側に取り付けられた排気アダプター４には図１４に示すような屋外フード３５が取り付けられる。屋外フード３５は背面片３６、両側片３７、上面片３８により構成してあって下方及び前方が開口したもので、図２、図７に示すように、排気アダプター４を屋外側において覆うように配設され、両側片３７の前端部に設けた固定片３５ａをねじ具のような固着具により排気アダプター４の外鍔部２５に固着して取り付けるようになっている。屋外フード３５の上面片３８の両端部と両側片３７の上端部との間には隙間３９が形成してある。このように屋外フード３５の上面片３８の両端部と両側片３７の上端部との間に隙間３９を形成することで、屋外フード３５の下開口から上方に風が吹き込んできた場合に、上記隙間３９から上方に逃がすことができるようにしてあって、屋外側の排気アダプター４部分から内部に風が吹き込まないようにしてある。しかしながら上記のように屋外フード３５の上面片３８の両端部と両側片３７の上端部との間に隙間３９を形成すると雨水が屋外側の排気アダプター４の開口側に流れやすいので、これを防止するため隙間３９の幅を後方（つまり建物躯体５である壁２１から離れる方向）側に向かう程小さくなるようにしてある。また、上面片３８は壁２１から離れる程下となるように傾斜しており、上面片３８に落下した雨水が傾斜に沿ってスムーズに流れ落ちるようにしてあり、しかも、このように上面片３８を壁２１から離れる程下となるように傾斜させることで、同時に上記のように、隙間３９の幅を後方（つまり建物躯体５である壁２１から離れる方向）側に向かう程小さくできるものである。
【００２１】
図８、図９には建物躯体５の屋外側に取り付けた排気アダプター４の小径筒部３に設けた雄ねじ部２に他の屋外側排気付属部材１０をナット９により接続する例が示してある。本実施形態における屋外側排気付属部材１０が積雪地方用排気装置１５の場合を示している。積雪地方用排気装置１５は、上下方向に長い排気縦管１２の下端部にＴ型接続管４０の上接続筒部４１を接続し、Ｔ型接続管４０の横接続管部４２に横管部１４を接続し、横管部１４に前述と同様のナット９をスライド自在に被嵌し、Ｔ型接続管４０下接続筒部４３に排水孔１３を有する排水金具４４を取り付け、排水金具４４の排水孔１３を網４５で覆って構成してある。そして、建物躯体５の屋外側の排気アダプター４の小径筒部３内に横管部１４を嵌め込み、ナット９の内鍔３３と小径筒部３の先端面との間にパッキン３４を介在させ、この状態で、ナット９の雌ねじ部３１を排気アダプター４の小径筒部３に設けた雄ねじ部２に螺合し、内鍔３３によりパッキン３４を押圧することで、パッキン３４により気密を保ちながらパッキン３４の内周面が横管部１４の外面に圧接して横管部１４が動かないように固定するものである。排気縦管１２の上端部には上端アダプター４６を接続し、上端アダプター４６に上記と同様のナット９を接続してある。ナット９の孔が排気孔となっている。もちろん上端アダプター４６やナット９を取り付けることなく、排気縦管１２の上端開口から直接排気するようにしてもよい。排気縦管１２の上端を覆うように前述と同様の屋外フード３５が取り付けられる。この場合、屋外フード３５は壁２１に取り付けられるものである。この実施形態においては、排気筒体７を構成する管がＶＰ５０と称されるサイズの管を用いた場合、Ｔ型接続管４０としてＶＰ５０と称されるサイズの管を用い、また、排気縦管１２、横管部１４としてＶＰ４０と称されるサイズの管を用いるものである。
【００２２】
しかして、本実施形態においては、冬季に積雪があって、建物躯体５の屋外側の排気アダプター４部分が雪に埋もれても、上下に長くなった排気縦管１２の上端部分は雪に埋もれず、したがって、排気縦管１２の上端部分から排気できるものである。また、排気経路中に結露等が発生しても、排気縦管１２の下端部に排水孔１３からスムーズに外部に排水できるものである。
【００２３】
次に、図１０乃至図１２において本発明の更に他の実施形態につき説明する。上記各実施形態においては、建物躯体５である壁２１に形成した孔６に１本の筒により構成した排気筒体７を挿入して取り付けた例を示したが、図１０乃至図１２に示す実施形態においては、建物躯体５である床２２と壁２１（ここで壁２１の概念中に基礎を含むものとする）とにそれぞれ孔６を形成し、Ｌ字状をした１本の筒よりなる排気筒体７の両端部をそれぞれ床２２の孔６と壁２１の孔６とに挿通し、排気筒体７の一端部を床２２より屋内側に突出させ、排気筒体７の他端部を壁２１より屋外側に突出させるものである。各孔６周囲と排気筒体７の間の隙間にはシリコン等のコーキング材２４が充填してあって、隙間を閉塞するとともにコーキング材２４を充填することで排気筒体７を建物躯体５である床２２、壁２１に取り付けてある。そして、前述の各実施形態と同様に、排気筒体５の両端部の建物躯体５の屋内側に突出した部分と屋外側に突出した部分とにそれぞれ排気アダプター４を接続し、また、床２２の屋内側に取り付けた排気アダプター４の小径筒部３に設けた雄ねじ部２には、屋内の排気発生源８である生ごみ処理装置１８の生ごみ処理槽で発生する臭気や湿気等の排気を排出する排気ホース１６の先端部をナット９により接続し、また、建物躯体５の屋外側に取り付けた排気アダプター４の小径筒部３に設けた雄ねじ部２には屋外側排気付属部材１０をナット９により接続するものである。ここで、各部材の構造、各部材の接続は前述の各実施形態と同様であって説明が重複するので説明を省略する。
【００２４】
なお、上記各実施形態では屋内における排気発生源８として、流し台１７内に内装した生ごみ処理装置１８が例示したが、排気発生源８としては生ごみ処理装置のみに限定されるものではなく、他の屋内において排気を発生する排気発生源であってもよいのはもちろんである。
【００２５】
【発明の効果】
上記の請求項１記載の本発明にあっては、建物躯体を貫通する孔に排気筒体を取り付け、排気筒体の屋内側に突出した部分に排気アダプターの大径筒部を被嵌した状態で建物躯体の屋内側に排気アダプターを取り付けるとともに排気筒体の屋外側に突出した部分に他の排気アダプターの大径筒部を被嵌した状態で建物躯体の屋外側に排気アダプターを取り付け、屋内の排気発生源からの排気を排出する排気ホースの先端部を屋内側の排気アダプターの小径筒部に設けた雄ねじ部にナットにより接続し、屋外側排気付属部材を屋外側の排気アダプターの小径筒部に設けた雄ねじ部にナットにより接続してあるので、排気筒体の屋内側突出部分及び屋外側突出部分にそれぞれ排気アダプターの大径筒部を嵌め込んで屋内外の排気アダプターを建物躯体の屋内外に取り付け、この屋内外の排気アダプターにそれぞれナットにより屋内の排気発生源からの排気を排出する排気ホースの先端部を取り付けるとともに屋外側排気付属部材を取り付けるという簡単な構成で、排気ホースを屋外に挿出することなく、屋内外に排気できる排気構造を構成できるものであり、また、建物躯体との取り付け部分に隙間などが生じることなく、外観がよくなり、更に、屋内側、屋外側において同一種類の排気アダプターを用いることができて、部材の種類を少なくできるものである。
【００２６】
また、請求項２記載の発明にあっては、上記請求項１記載の発明の効果に加えて、屋外側排気付属部材が防虫網であるので、簡単な構成で防虫網を取り付けて排気経路に外部から虫が侵入しないようにできて、衛生的である。
【００２７】
また、請求項３記載の発明にあっては、上記請求項１記載の発明の効果に加えて、屋外側排気付属部材が、排気縦管の下端部に排水孔を設けると共に、排水孔よりもやや上方から横方向に突出してナットにより排気アダプターに接続される横管部を連通突設した積雪地方用排気装置であるので、積雪があって、横管部部分が雪に埋もれても排気縦管によりスムーズに排気できるものであり、また、排気経路中に結露等が発生しても、排気縦管の下端部に排水孔からスムーズに外部に排水できるものである。
【００２８】
また、請求項４記載の発明にあっては、上記請求項１記載の発明の効果に加えて、屋外側の排気アダプターを覆う下面が開口した屋外フードを取り付けてあるので、排気アダプターの開口から雨水が侵入しないようにできるものである。
【００２９】
また、請求項５記載の発明にあっては、上記請求項４記載の発明の効果に加えて、屋外フードの上面片の両端と側面片の上端との間に建物躯体を構成する壁から離れるほど幅が小さくなる隙間を形成してあるので、屋外フードの下開口から上方に風が吹き込んできた場合に、上記隙間から上方に逃がすことができて、屋外側の排気アダプター部分から内部に風が吹き込まないようにでき、また、隙間を形成すると雨水が屋外側の排気アダプターの開口側に流れやすいが、隙間の幅を後方側に向かう程小さくすることで排気アダプターの開口側に隙間から雨水が侵入しにくいようにできるものである。
【図面の簡単な説明】
【図１】本発明の一実施形態の概略断面図である。
【図２】同上の拡大断面図である。
【図３】同上の屋外カバー部分の正面図である。
【図４】同上の屋内側において壁に排気アダプターを取り付ける状態を示す分解斜視図である。
【図５】同上の屋内側において壁に取り付けた排気アダプターに排気ホースを取り付ける状態を示す分解斜視図である。
【図６】同上の屋外側において排気アダプター、屋外カバーを取り付ける状態を示す分解斜視図である。
【図７】同上の屋外カバーを取り付けた状態を示す斜視図である。
【図８】本発明の他の実施形態の概略断面図である。
【図９】同上の要部拡大断面図である。
【図１０】本発明の更に他の実施形態の概略断面図である。
【図１１】同上の屋内側において床に排気アダプターを取り付ける状態を示す分解斜視図である。
【図１２】同上の屋内側において床に取り付けた排気アダプターに排気ホースを取り付ける状態を示す分解斜視図である。
【図１３】同上に用いる排気アダプターを示し、（ａ）は正面図であり、（ｂ）は一分破断した側面図である。
【図１４】同上に用いる屋外カバーを示し、（ａ）は正面図であり、（ｂ）は側面図であり、（ｃ）は平面図である。
【符号の説明】
１  大径筒部
２  雄ねじ部
３  小径筒部
４  排気アダプター
５  建物躯体
６  孔
７  排気筒体
８  屋内の排気発生源
９  ナット
１０  屋外側排気付属部材
１１  防虫網
１２  排気縦管
１３  排水孔
１４  横管部
１５  積雪地方用排気装置
１６  排気ホース
２１  壁
３５  屋外フード
３７  側面片
３８上面片
３９  隙間
【図１】
0003648588.tif 000002
【図２】
0003648588.tif 000003
【図３】
0003648588.tif 000004
【図４】
0003648588.tif 000005
【図５】
0003648588.tif 000006
【図６】
0003648588.tif 000007
【図７】
0003648588.tif 000008
【図８】
0003648588.tif 000009
【図９】
0003648588.tif 000010
【図１０】
0003648588.tif 000011
【図１１】
0003648588.tif 000012
【図１２】
0003648588.tif 000013
【図１３】
0003648588.tif 000014
【図１４】
0003648588.tif 000015